(57)【要約】【課題】刈刃装置の左右中央部に備えた固定刈刃の分草負荷を軽減し、耐久性を高める。【解決手段】多数の固定刃単体（１）を有する固定刈刃（３）の上面側に、多数の可動刃単体（４）を有する左右の可動刈刃（５）を左右相反する方向へ往復摺動自在に載置し、固定刈刃（３）の左右方向中央部に、可動刈刃（５）の摺動方向に対して傾斜する左右の鋸刃部（２ａ，２ａ）と、この左右の鋸刃部（２ａ，２ａ）の前端部に位置して可動刈刃（５）の摺動方向に沿う前縁部とを有して平面視略台形上に形成された中央固定刈刃（２）を配置し、中央固定刈刃（２）の下側には、中央固定刈刃（２）よりも前側に突出した前端部が穀稈の株元を左右に分草しながら鋸刃部（２ａ，２ａ）に導くガイドプレート（１０）を配置し、ガイドプレート（１０）の前端部を、中央固定刈刃（２）の下端部よりも上側に配置する。【選択図】      図２
2014008018.tif 000002
【特許請求の範囲】
【請求項１】
多数の固定刃単体（１）を有する固定刈刃（３）の上面側に、多数の可動刃単体（４）を有する左右の可動刈刃（５）を左右相反する方向へ往復摺動自在に載置した刈刃装置であって、前記固定刈刃（３）の左右方向中央部に、可動刈刃（５）の摺動方向に対して傾斜する左右の鋸刃部（２ａ，２ａ）と、この左右の鋸刃部（２ａ，２ａ）の前端部に位置して可動刈刃（５）の摺動方向に沿う前縁部とを有して平面視略台形上に形成された中央固定刈刃（２）を配置し、該中央固定刈刃（２）の下側には、中央固定刈刃（２）よりも前側に突出した前端部が穀稈の株元を左右に分草しながら鋸刃部（２ａ，２ａ）に導くガイドプレート（１０）を配置し、前記ガイドプレート（１０）の前端部を、中央固定刈刃（２）の下端部よりも上側に配置したことを特徴とする刈刃装置。
【請求項２】
前記ガイドプレート（１０）の前端部を、前記中央固定刈刃（２）の上端部と略同じ高さに配置した請求項１記載の刈刃装置。
【請求項３】
前記ガイドプレート（１０）の前端部を、前記中央固定刈刃（２）の上端部よりも高い位置に配置した請求項１記載の刈刃装置。
【請求項４】
前記ガイドプレート（１０）を、中央固定刈刃（２）の前端部よりも前側に位置する部位から上向きに屈曲させると共に、この上向きに屈曲した部分の上端部から中央固定刈刃（２）の前側に延出する分草ガイド部（１０Ｌ，１０Ｒ）を形成した請求項１又は請求項２又は請求項３記載の刈刃装置。
【請求項５】
前記ガイドプレート（１０）における中央固定刈刃（２）の前端部よりも前側の部位から中央固定刈刃（２）及び可動刈刃（５）の上側へ延出するカバープレート（１１）を設けた請求項１から請求項４のいずれか一項記載の刈刃装置。
【発明の詳細な説明】
【技術分野】
【０００１】
この発明は、下から受ける固定刈刃とこの上側に沿って左右に往復動する可動刈刃からなるバリカン式の刈刃装置に関する。
【背景技術】
【０００２】
従来、例えば、特許文献１に示されているように、固定刈刃の中央部に通常の刈刃より前方に大きく突設する合わせ刃を備えた構成のバリカン式刈刃装置は一般的に知られている。
【先行技術文献】
【特許文献】
【０００３】
【特許文献１】特開２０１２−２９５９４号公報
【発明の概要】
【発明が解決しようとする課題】
【０００４】
上記構成の合わせ刃では、通常の刈刃より前方に大きく突出しているため、穀稈の株元を切断する前に合わせ刃が先行して左右に押し分けながらガイドすることになるので、これにかかる分草抵抗が大きくなり、他の刃と比較して早期に磨耗する問題があった。
【課題を解決するための手段】
【０００５】
この発明は、上記課題を解決すべく次のような技術的手段を講じた。
すなわち、請求項１記載の発明は、多数の固定刃単体（１）を有する固定刈刃（３）の上面側に、多数の可動刃単体（４）を有する左右の可動刈刃（５）を左右相反する方向へ往復摺動自在に載置した刈刃装置であって、前記固定刈刃（３）の左右方向中央部に、可動刈刃（５）の摺動方向に対して傾斜する左右の鋸刃部（２ａ，２ａ）と、この左右の鋸刃部（２ａ，２ａ）の前端部に位置して可動刈刃（５）の摺動方向に沿う前縁部とを有して平面視略台形上に形成された中央固定刈刃（２）を配置し、該中央固定刈刃（２）の下側には、中央固定刈刃（２）よりも前側に突出した前端部が穀稈の株元を左右に分草しながら鋸刃部（２ａ，２ａ）に導くガイドプレート（１０）を配置し、前記ガイドプレート（１０）の前端部を、中央固定刈刃（２）の下端部よりも上側に配置したことを特徴とする刈刃装置とした。
【０００６】
請求項２記載の発明は、前記ガイドプレート（１０）の前端部を、前記中央固定刈刃（２）の上端部と略同じ高さに配置した請求項１記載の刈刃装置とした。
請求項３記載の発明は、前記ガイドプレート（１０）の前端部を、前記中央固定刈刃（２）の上端部よりも高い位置に配置した請求項１記載の刈刃装置とした。
【０００７】
請求項４記載の発明は、前記ガイドプレート（１０）を、中央固定刈刃（２）の前端部よりも前側に位置する部位から上向きに屈曲させると共に、この上向きに屈曲した部分の上端部から中央固定刈刃（２）の前側に延出する分草ガイド部（１０Ｌ，１０Ｒ）を形成した請求項１又は請求項２又は請求項３記載の刈刃装置とした。
【０００８】
請求項５記載の発明は、前記ガイドプレート（１０）における中央固定刈刃（２）の前端部よりも前側の部位から中央固定刈刃（２）及び可動刈刃（５）の上側へ延出するカバープレート（１１）を設けた請求項１から請求項４のいずれか一項記載の刈刃装置とした。
【発明の効果】
【０００９】
請求項１記載の発明によれば、刈刃装置の中央部に導入される穀稈は、中央固定刈刃（２）によって切断される前にガイドプレート（１０）によって先行して左右に押し分けられて、中央固定刈刃（２）の鋸刃部（２ａ，２ａ）部分に導かれる。そのため、中央固定刈刃（２）の分草負荷が軽減し、耐久性を高めることができる。
【００１０】
また、ガイドプレート（１０）の前端部を、中央固定刈刃（２）の下端部よりも上側に配置しているので、中央固定刈刃（２）への藁屑や引っ掛りを防止することができる。
請求項２記載の発明によれば、請求項１記載の発明による効果に加えて、ガイドプレート（１０）の前端部を、中央固定刈刃（２）の上端部と略同じ高さに配置しているので、中央固定刈刃（２）とガイドプレート（１０）の間に穀稈が挟まることによる株抜けや切断不良を少なくすることができる。
【００１１】
請求項３記載の発明によれば、請求項１又は請求項２記載の発明による効果に加えて、中央固定刈刃（２）の磨耗軽減はもとより、可動刈刃（５）の磨耗をも軽減することができる。
【００１２】
請求項４記載の発明によれば、請求項１又は請求項２又は請求項３記載の発明による効果に加えて、ガイドプレート（１０）の先端部が中央固定刈刃（２）の前側を覆う形になって株元を左右に押し分けるので、合わせ刃上での藁屑や雑草の溜りを防止することができる。
【００１３】
請求項５記載の発明によれば、請求項１から請求項４のいずれか一項記載の発明による効果に加えて、カバープレート（１１）によって、ガイドプレート（１０）と中央固定刈刃（２）との間及び中央固定刈刃（２）と可動刈刃（５）との間への藁屑の引っ掛かりを防止し、刈刃装置の切断性能を高めることができる。
【図面の簡単な説明】
【００１４】
【図１】バリカン式刈刃装置の要部の平面図
【図２】合わせ刃とガイドプレートの配置関係を示す平面図
【図３】同上要部の側断面図
【図４】同上要部の側断面図
【図５】別例要部の平面図
【図６】同上要部の側断面図
【図７】別例要部の平面図
【図８】別例要部の平面図
【図９】掻込スターホイルの配置関係を示す平面図（従来例）
【図１０】同上要部の平面図（本例）
【図１１】掻込スターホイルの別例配置関係を示す平面図
【図１２】同上別例要部の平面図
【図１３】同上別例要部の平面図
【図１４】コンバインの側面図
【発明を実施するための形態】
【００１５】
この発明の実施例を図面に基づき説明する。
図１４には、本発明の刈刃装置を備えるコンバイン３３を示している。下側に走行装置３７を有する機体フレーム３１の前側に、圃場に植立する穀稈を分草する分草装置と、穀稈を引起す引起装置、引起された穀稈を掻き込んで挟持する掻込装置と、この掻込装置の下側に配置されて穀稈の株元を切断する刈刃装置３０を備えている。機体フレーム３１上には、左側に刈取装置から搬送された穀稈を脱穀する脱穀装置３３を搭載し、右側に脱穀後の穀粒を貯留するグレンタンク３４を搭載している。また、グレンタンク３４の後側には、このグレンタンク３４内から機外へ穀粒を排出するための排出装置３５を有し、グレンタンク３４の前側には、オペレータが搭乗して操作する操縦部３６が配置されている。
【００１６】
図１に示す実施例は、このコンバインなどに使用するバリカン式の刈刃装置３０を構成するもので、多数の刃単体（固定刃単体）１を有し、中央部に通常の刃単体より前方に大きく突設する合わせ刃２をもつ固定刈刃（中央固定刈刃，下刃）３を左右横方向に沿わせた状態で刈取支持フレーム６に固定し、多数の刃単体（可動刃単体）４を有する左右二組の横長の可動刈刃上刃５を固定刈刃３の上面側に沿わせて左右別々に往復動自在に設け、該可動刈刃上にはこの可動刈刃を固定刃上に押し付ける押え部材７を設けてある。そして、左右の可動刈刃５はクランクアーム８で個別に駆動して、左右の可動刈刃が互いに反対方向に往復摺動されるように構成している。
【００１７】
図２、図３に示すように、合わせ刃２は、尖った先端部を切除して可動刈刃５の摺動方向に対して傾斜する左右の鋸刃部２ａ，２ａと、この左右の鋸刃部２ａ，２ａの前端部間の左右方向の縁部を有して平面視略台形状に形成している。
【００１８】
合わせ刃２の下部には穀稈の株元を左右に分草ガイドしながら合わせ刃２両サイドの鋸刃部２ａ，２ａに導く平面視略三角形状のガイドプレート１０を配置している。
前記ガイドプレート１０の先端部は、合わせ刃２の下側から前側対応部位に向けて上向きに折り曲げ形成してあると共に、該合わせ刃の前側対応部より更に前方に長く延出してこの延出部が分草ガイド部１０Ｌ，１０Ｒとなるよう形成している。そして、そのガイドプレート１０の先端部の高さは前記合わせ刃２と略同一高さに設定している図３参照。
【００１９】
また、図４例では、ガイドプレート１０の先端部の高さは、合わせ刃２の高さよりも上方に高くし、且つ、上刃（下動刈刃）５と略同一高さ位置に設定している。
次に、図５及び図６例について説明すると、ガイドプレート１０の先端部には、合わせ刃２の前面側から立ち上がり後方に向けて上刃５の上面を覆うように延出するカバープレート１１が設けられている。このカバープレートによれば、合わせ刃の前面及び上刃の上面を覆うことになるので、ガイドプレートと合わせ刃との間及び合わせ刃と上刃との間に藁屑の引っかかりをなくすことができる。
【００２０】
また、前記カバープレート１１は、図７に示すように、左右方向の横幅が後方側ほど狭くなるようにプレートの両端面に傾斜を設けることで、藁屑の引っ掛りを防止でき、穀稈の搬送をスムースにすることができる。
【００２１】
また、カバープレート１１は、図８に示すような形状に構成することもできる。つまり、カバープレートの後部側形状を、後方側が順次広くなるように左右両端面に傾斜をつけ、上刃との重なり代を設ける。これによると、カバープレートが切断時の穀稈の倒れこみを防止でき、切断性能が向上する。なお、この図８例では、カバープレート１１の後端部を逆「矢」の字形状、つまり、プレートの後端部に凹入部１２を設けることで、藁屑や泥を後方へ吐き出し易くしている。
【００２２】
次に、図９及び図１０に示す掻込スターホイルの配置構成について説明すると、図９は、従来例を示すものであるが、左右横方向の基準位置線Ｘに対して各掻込スターホイルＷ１，Ｗ２，Ｗ３，Ｗ４，Ｗ５，Ｗ６が同一線上に配置されている。
【００２３】
図１０に示す本例では、搬送の進入角度がきつい両サイドは、スターホイルで稈を押し倒してしまい、搬送の乱れや稈こぼれの原因となっているため、両サイドのスターホイルＷ１，Ｗ６から１つずつ内側にあるスターホイルＷ２，Ｗ５を他のスターホイルよりも後方に配置している。この配置構成によると、上記従来の問題点を解消することができる。
【００２４】
また、図１１に示す実施例では、左右最外側のスターホイルＷ１，Ｗ６を基準位置Ｘよりも前方に配置している。かかる配置構成によっても上記問題点を解消することができる。
【００２５】
図１２例に示すように、掻込スターホイルＷ３を前方に配置することで、中搬送チエン１５による掻込搬送作用を前方に張り出して早めにキャッチングすることで、稈こぼれを防止することができる。また、図１３例による場合は、スターホイルＷ３，Ｗ４を他のスターホイルより後方に配置する構成としている。センタ側は搬送通路が真っ直ぐであるため、スターホイルの前方出代を抑えて、稈こぼれ、搬送乱れを減少させることができる。
なお、図９中において、１６は左根元搬送チエン、１７は右根元搬送チエンを示す。
【符号の説明】
【００２６】
１    刃単体（固定刃単体）
２    合わせ刃（中央固定刈刃）
２ａ  鋸刃部
３    固定刈刃
４    刃単体（可動刃単体）
５    可動刈刃（５）
１０    ガイドプレート
１０Ｌ  分草ガイド部
１０Ｒ  分草ガイド部
１１    カバープレート
【図１】
2014008018.tif 000003
【図２】
2014008018.tif 000004
【図３】
2014008018.tif 000005
【図４】
2014008018.tif 000006
【図５】
2014008018.tif 000007
【図６】
2014008018.tif 000008
【図７】
2014008018.tif 000009
【図８】
2014008018.tif 000010
【図９】
2014008018.tif 000011
【図１０】
2014008018.tif 000012
【図１１】
2014008018.tif 000013
【図１２】
2014008018.tif 000014
【図１３】
2014008018.tif 000015
【図１４】
2014008018.tif 000016